(57)【要約】      （修正有）【課題】記事サーバへのアクセスおよびこれに伴うＥＣサーバへのアクセスの増加を実現可能な広告サーバおよび広告配信システムを提供する。【解決手段】広告サーバは、ネットワークを介して記事サーバから配信された記事に基づく端末からの要求に応じて、ＥＣサーバがネットワークを介して端末に送信するＥＣ情報のうち該記事に関連づけられたＥＣ情報へのリンクを含む広告を、ネットワークを介して配信する広告配信手段と、記事に関連づけられたＥＣ情報への端末からのアクセスをカウントする計数手段と、ＥＣ情報ごとに、計数手段がカウントするアクセスの数である送客数に基づいて、記事を選択する記事選択手段と、記事選択手段により選択された記事へのリンクである記事リンクを、ＥＣ情報にアクセスする前記端末に提供する記事リンク提供手段と、を備える。【選択図】図７
2018081535.tif 000002
【特許請求の範囲】
【請求項１】
ネットワークを介して記事サーバから配信された記事に基づく端末からの要求に応じて、ＥＣサーバが前記ネットワークを介して前記端末に送信するＥＣ情報のうち該記事に関連づけられた前記ＥＣ情報へのリンクを含む広告を、前記ネットワークを介して配信する広告配信手段と、
前記記事に関連づけられた前記ＥＣ情報への前記端末からのアクセスをカウントする計数手段と、
前記ＥＣ情報ごとに、前記計数手段がカウントするアクセスの数である送客数に基づいて、前記記事を選択する記事選択手段と、
前記記事選択手段により選択された前記記事へのリンクである記事リンクを、前記ＥＣ情報にアクセスする前記端末に提供する記事リンク提供手段と、を備えることを特徴とする広告サーバ。
【請求項２】
前記広告配信手段は、提供された前記記事リンクに基づく前記端末の要求に応じて前記記事サーバが送信する前記記事、に関連づけられた前記広告を配信するときに、該ＥＣサーバの前記広告を優先的に配信することを特徴とする、請求項１に記載の広告サーバ。
【請求項３】
前記広告配信手段は、提供された前記記事リンクに基づく前記端末の要求に応じて前記記事サーバが送信する前記記事、に関連づけられた前記広告を配信するときに、該ＥＣサーバの前記広告のみを配信することを特徴とする、請求項１に記載の広告サーバ。
【請求項４】
前記記事選択手段は、前記送客数の大きい前記記事を選択することを特徴とする、請求項１ないし３のいずれか１項に記載の広告サーバ。
【請求項５】
端末に記事を送信する記事サーバと、前記端末にＥＣ情報を送信するＥＣサーバと、前記端末に、前記記事に関連づけられた前記ＥＣ情報へのリンクを含む広告を配信する広告サーバと、がネットワークを介して接続された広告配信システムであって、
前記記事サーバは、
前記記事への要求を前記端末から受け付ける記事要求受付手段と、
受け付けた前記記事に、前記記事サーバの前記記事の表示にあたり共通に用いられる情報である記事付帯情報を付加する記事付帯情報付加手段と、
前記端末から要求された前記記事を前記端末に送信する記事送信手段と、を備え、
前記広告サーバは、
前記端末からの要求に応じて前記記事に関連づけられた前記ＥＣ情報へのリンクを含む前記広告を配信する広告配信手段と、
前記記事に関連づけられた前記ＥＣ情報への前記端末からのアクセスをカウントする計数手段と、
前記ＥＣ情報ごとに、前記計数手段がカウントするアクセスの数である送客数に基づいて、前記記事を選択する記事選択手段と、
前記記事選択手段により選択された前記記事へのリンクである記事リンクを、前記ＥＣ情報にアクセスする前記端末に提供する記事リンク提供手段と、を備え、
前記ＥＣサーバは、
前記端末からの前記ＥＣ情報の要求を受け付けるＥＣ情報要求受付手段と、
要求を受け付けた前記ＥＣ情報に、前記ＥＣサーバの前記ＥＣ情報の表示にあたり共通に用いられる情報であるＥＣ付帯情報を付加するＥＣ付帯情報付加手段と、
前記端末から要求された前記ＥＣ情報を前記端末に送信するＥＣ情報送信手段と、を備える
ことを特徴とする広告配信システム。
【発明の詳細な説明】
【技術分野】
【０００１】
本発明は、記事サーバの要求に応じてＥＣサーバの広告情報を配信する広告サーバおよび広告配信システムに関する。
【背景技術】
【０００２】
所定のトピックに関する記事を随時追加して公開する記事サーバは、ユーザが所望の情報を閲覧するために端末からアクセスされる。特に、人気のある記事サーバの記事は、多くのユーザに閲覧されるため、広告掲載場所として高い価値を有する。ここで広告とは、他サーバへのリンクを含む情報であり、記事においては一般に文字や画像として表示される。端末で記事を閲覧するユーザが広告をクリックないしタップすると、含まれているリンクに応じて端末が他サーバにアクセスし、所定のページが表示される。
【０００３】
一般に、広告のリンク先は、商取引の電子的な申し出を行うＥＣ情報を送信するＥＣサーバである。ＥＣ情報は、個々の商品やサービスの購入を個別に決済可能な商品・サービス購入ページの場合もあれば、個々の商品やサービスに限定されないキャンペーンに対する申し込みなどを受け付けるページの場合もある。より具体的な例としては、優待サービスの申し込みを受け付けるページであって、申し込んだユーザに対して商品情報を送信するものや、会員登録を受け付けて、登録したユーザの情報を入手するページなどがある。このようなＥＣ情報へのリンクを広告として人気の高い記事に掲載することにより、ＥＣサイトはＥＣ情報に対し多くのアクセスを集めることができる。
一般に、広告のリンク先は、商取引の電子的な申し出を行うＥＣ情報を送信するＥＣサーバである。ＥＣ情報は、個々の商品やサービスの購入を個別に決済可能な商品・サービス購入ページの場合もあれば、個々の商品やサービスに限定されないキャンペーンに対する申し込みなどを受け付けるページの場合もある。このようなＥＣ情報へのリンクを広告として人気の高い記事に掲載することにより、ＥＣサイトはＥＣ情報に対し多くのアクセスを集めることができる。
【０００４】
広告によりＥＣ情報へのアクセスを多く集めるためには、適切な広告を選定して記事に掲載することが重要である。特許文献１には、妥当に広告の評価を行うことのできる広告評価装置が記載されている。
【先行技術文献】
【特許文献】
【０００５】
【特許文献１】特開２０１３−１６１３５８号公報
【発明の概要】
【発明が解決しようとする課題】
【０００６】
ＥＣサーバのみならず記事サーバにとっても、記事に多くのアクセスを得られると、そのトピックにおける影響力が増す。また、記事サーバ全体のアクセス量の増加とともに、広告掲載メディアとしての記事サーバ自体の価値も上昇するため、個々の記事および記事サーバ全体に対する多くのアクセスを集めることは重要である。
【０００７】
しかしながら、従来は広告の評価を記事サーバからＥＣサーバへのアクセスの増加に基づいて行っており、上述のような記事サーバへのアクセス増加は考慮されていなかった。
【０００８】
本発明は、ネットワーク上の広告掲載により記事サーバへのアクセスの増加が考慮されていないという課題の解決を図るものであり、記事サーバへのアクセスおよびこれに伴うＥＣサーバへのアクセスの増加を実現可能な広告サーバおよび広告配信システムを提供することを目的とする。
【課題を解決するための手段】
【０００９】
上述した課題を解決するために、本発明にかかる広告サーバは、
ネットワークを介して記事サーバから配信された記事に基づく端末からの要求に応じて、ＥＣサーバが前記ネットワークを介して前記端末に送信するＥＣ情報のうち該記事に関連づけられた前記ＥＣ情報へのリンクを含む広告を、前記ネットワークを介して配信する広告配信手段と、
前記記事に関連づけられた前記ＥＣ情報への前記端末からのアクセスをカウントする計数手段と、
前記ＥＣ情報ごとに、前記計数手段がカウントするアクセスの数である送客数に基づいて、前記記事を選択する記事選択手段と、
前記記事選択手段により選択された前記記事へのリンクである記事リンクを、前記ＥＣ情報にアクセスする前記端末に提供する記事リンク提供手段と、を備えることを特徴とする。
【発明の効果】
【００１０】
本発明により、記事サーバへのアクセスおよびこれに伴うＥＣサーバへのアクセスの増加を実現可能な広告サーバおよび広告配信システムを提供することができる。
【図面の簡単な説明】
【００１１】
【図１】本発明の実施形態にかかる広告配信システムの概略構成図である。
【図２】本発明の実施形態にかかる記事サーバの機能ブロック図である。
【図３】本発明の実施形態にかかる広告サーバの機能ブロック図である。
【図４】本発明の実施形態にかかるＥＣサーバの機能ブロック図である。
【図５】端末に記事を送信するときの記事サーバと広告サーバの処理を示すフローチャートである。
【図６】記事サーバから送信された記事に基づき端末の表示部に表示される画面の例である。
【図７】端末にＥＣ情報を送信するときのＥＣサーバと広告サーバの処理を示すフローチャートである。
【図８】端末がＥＣサーバにおけるＥＣ情報にアクセスするときの表示部に表示される画面の例である。
【発明を実施するための形態】
【００１２】
以下、本発明の実施の形態について詳細に説明する。
【００１３】
図１は、本発明の実施形態にかかる広告配信システムの概略構成図である。図１に示すように、広告配信システムは、記事サーバ１と、広告サーバ２と、ＥＣサーバ３と、端末４とがそれぞれネットワーク５に接続されて構成される。記事サーバ１、広告サーバ２、ＥＣサーバ３は、読み込んだプログラムに基づいてデータ処理を実行するコンピュータである。端末４は、ユーザの操作を受けつけ、読み込んだプログラムに基づいてデータ処理を実行し、結果をユーザに出力するコンピュータであり、パーソナルコンピュータやタブレット、スマートフォンなどに対応する。
【００１４】
記事サーバ１は、記憶する記事を端末４に提供する。広告サーバ２は、記事とともに端末４に提供すべき広告を記事サーバ１に配信する。ＥＣサーバ３は、電子的な商取引の申し出であるＥＣ情報を端末４に提供する。ここで広告とは、ＥＣ情報へのリンクが対応づけられた情報をいい、文字列や画像により構成することができる。端末４は、ユーザの入力に応じて広告を含む記事を取得し、表示する。また、ユーザの広告への操作により、ＥＣ情報を取得し、表示する。
【００１５】
図１では、記事サーバ１と広告サーバ２とＥＣサーバ３と端末４とをそれぞれ１台ずつ示しているが、複数台あってもよい。
【００１６】
記事サーバ１の通信部１０は、記事サーバ１をネットワーク５に接続し、情報の送受信を行う。通信部１０は、具体的には図示しない有線ＬＡＮインタフェースや無線ＬＡＮインタフェースや携帯電話通信インタフェースおよびこれらの制御ソフトウェアないしファームウェアにより構成可能である。
【００１７】
広告サーバ２の通信部２０、ＥＣサーバ３の通信部３０、端末４の通信部４０は、記事サーバ１の通信部１０と同様であるので、説明を省略する。
【００１８】
記事サーバ１の処理部１１は、各種情報処理を実行する。各種情報処理には、図示しない入力部を介してユーザの指定するソフトウェアの実行の他に、記事サーバ１を構成する各部の制御など、ユーザが明示的に指定しない処理が含まれる。処理部１１は、図示しないＣＰＵおよびメモリにより構成可能である。
【００１９】
広告サーバ２の処理部２１、ＥＣサーバ３の処理部３１、端末４の処理部４１は、記事サーバ１の処理部１１と同様であるので、説明を省略する。
【００２０】
記事サーバ１の記憶部１２は、各種データを不揮発に記憶する。各種データは、通信部１０によりネットワーク５から受信されるものであってよく、図示しない入力部を介して入力されるものであってもよい。また、各種データは、処理部１１の処理の対象とすることができる。記事サーバ１においては、記憶部１２は、記事や処理部１１が実行するプログラムなどを記憶することができる。記憶部１２は、ハードディスクドライブやＳＳＤ（Solid State Drive）などの不揮発記憶装置により構成可能である。
【００２１】
広告サーバ２の記憶部２２、ＥＣサーバ３の記憶部３２は、記事サーバ１の記憶部１２と同様に構成可能である。広告サーバ２の記憶部２２は、記事と広告との対応付けや処理部２１が実行するプログラムなどを記憶することができる。ＥＣサーバ３の記憶部３２は、ＥＣ情報や処理部３１が実行するプログラムなどを記憶することができる。
【００２２】
端末４の表示部４３は、処理部４１による処理結果をユーザに視認可能に表示する。表示部４３は、ＬＣＤパネルなどのディスプレイデバイスにより構成可能である。
【００２３】
次に、図２から図４を参照して、記事サーバ１、広告サーバ２、ＥＣサーバ３の機能ブロックを説明する。図２は、本発明の実施形態にかかる記事サーバの機能ブロック図である。図２に示すように、記事サーバ１は、記事要求受付手段１００と、記事付帯情報付加手段１１０と、記事送信手段１２０とを有する。
【００２４】
記事要求受付手段１００は、端末４からの記事への要求を受け付ける。記事要求受付手段１００は、記憶部１２に記憶された所定のプログラムを実行する処理部１１が通信部１０を制御することにより実施可能である。
【００２５】
記事付帯情報付加手段１１０は、記事要求受付手段１００が端末４から要求を受け付けた記事に、記事付帯情報を付加する。記事付帯情報とは、記事サーバ１の記事の表示にあたり共通に用いられる情報であり、例えばＣＳＳ（Cascading Style Sheets）による画面デザインの定義や、Javascript（登録商標）による記事を受信した端末４の動作の指定などがある。記事付帯情報として端末４が広告サーバ２に対して広告を取得し表示する動作を指定すると、記事サーバ１が一律に配信する広告と異なり、端末４の有する情報に即した広告を記事に表示することが可能となる。
【００２６】
記事付帯情報は、記憶部１２に記憶される。記事への記事付帯情報の付加は、記事とともに記事付帯情報の内容が端末４にて扱えるようになればよい。例えば、記事を構成するファイルへの記事付帯情報の内容の追加や、記事を構成するファイルに記載された情報に基づく端末４の要求に応じた別ファイルの記事付帯情報の送信といった態様が考えられる。記事付帯情報付加手段１１０は、所定のプログラムを実行する処理部１１により実施可能である。
【００２７】
記事送信手段１２０は、端末４から要求された記事を端末４に送信する。記事送信手段１２０は、所定のプログラムを実行する処理部１１が通信部１０を制御することにより実施可能である。
【００２８】
図３は、本発明の実施形態にかかる広告サーバの機能ブロック図である。図３に示すように、広告サーバ２は、広告配信手段２００と、計数手段２１０と、記事選択手段２２０と、記事リンク提供手段２３０とを有する。
【００２９】
広告配信手段２００は、記事に付加された記事付帯情報に基づく端末４からの要求に応じて、記事に関連づけられたＥＣ情報へのリンクを含む広告を配信する。ＥＣ情報へのリンクには、ＥＣ情報のＵＲＬ（Uniform Resource Locator）を用いることができる。記事とＥＣ情報との関連づけは、記憶部２２に記憶されていてもよいし、ネットワーク５を介して外部サーバに問い合わせるようにしてもよい。また、記事とＥＣ情報の内容やアクセス状況などの属性に基づいて、記事ごとにＥＣ情報を特定するようにしてもよい。広告配信手段２００は、所定のプログラムを実行する処理部２１が通信部２０を制御することにより実施可能である。
【００３０】
計数手段２１０は、記事に関連づけられたＥＣ情報への端末４からのアクセスをカウントする。端末４が広告サーバ２を経由してＥＣサーバ３のＥＣ情報にアクセスするリンクを広告に含ませるようにしておくことで、ＥＣ情報への端末４からのアクセスを広告サーバ２の計数手段がカウントすることができる。また、端末４からＥＣサーバ３に直接アクセスするようにし、アクセス情報をＥＣサーバ３からまとめて取得するようにしてもよい。端末４からのＥＣ情報へのアクセスと記事との関連づけは、広告に含まれるリンクを記事ごとに異ならせることにより可能である。また、広告に含まれるリンクを記事ごとに共通とした上で、ＥＣ情報へのアクセス時に、広告の含まれる記事のアドレスを参照元（http-referer）として取得するようにしてもよい。計数手段２１０は、所定のプログラムを実行する処理部２１が通信部２０を制御することにより実施可能である。
【００３１】
記事選択手段２２０は、ＥＣ情報ごとに、計数手段２１０がカウントするアクセスの数である送客数に基づいて、記事を選択する。このとき、送客数の大きい記事を選択するようにすると、そのＥＣ情報から見て広告効果の大きい記事を優先的に取り扱うことができるため、ＥＣサーバ３にとって有益である。記事選択手段２２０は、所定のプログラムを実行する処理部２１により実施可能である。
【００３２】
記事リンク提供手段２３０は、記事選択手段２２０により選択された記事へのリンクである記事リンクを、ＥＣ情報にアクセスする端末４に提供する。記事リンクには、記事のＵＲＬを用いることができる。記事リンクの提供は、端末４からの要求に応じて実行するようにしてもよいし、端末４からＥＣサーバ３へのＥＣ情報の要求から所定時間後などの所定のタイミングで実行するようにしてもよい。記事リンク提供手段２３０は、所定のプログラムを実行する処理部２１が通信部２０を制御することにより実施可能である。
【００３３】
図４は、本発明の実施形態にかかるＥＣサーバの機能ブロック図である。図４に示すように、ＥＣサーバ３は、ＥＣ情報要求受付手段３００と、ＥＣ付帯情報付加手段３１０と、ＥＣ情報送信手段３２０とを有する。
【００３４】
ＥＣ情報要求受付手段３００は、端末４からのＥＣ情報の要求を受け付ける。ＥＣ情報要求受付手段３００は、所定のプログラムを実行する処理部３１が通信部３０を制御することにより実施可能である。
【００３５】
ＥＣ付帯情報付加手段３１０は、ＥＣ情報要求受付手段３００が端末４から要求を受け付けたＥＣ情報に、ＥＣ付帯情報を付加する。ＥＣ付帯情報とは、ＥＣサーバ３のＥＣ情報の表示にあたり共通に用いられる情報であり、例えばＣＳＳによる画面デザインの定義や、Javascript（登録商標）による記事を受信した端末４の動作の指定などがある。ＥＣ付帯情報として端末４が広告サーバ２から取得する記事リンクを表示する動作を指定すると、端末４はＥＣ情報とともに記事リンクを表示する。
【００３６】
ＥＣ付帯情報は、記憶部３２に記憶される。ＥＣ情報へのＥＣ付帯情報の付加は、ＥＣ情報とともにＥＣ付帯情報の内容が端末４にて扱えるようになればよい。例えば、ＥＣ情報を構成するファイルへのＥＣ付帯情報の内容の追加や、ＥＣ情報を構成するファイルに記載された情報に基づく端末４の要求に応じた別ファイルのＥＣ付帯情報の送信といった態様が考えられる。ＥＣ付帯情報付加手段３１０は、所定のプログラムを実行する処理部３１により実施可能である。
【００３７】
ＥＣ情報送信手段３２０は、端末４に要求されたＥＣ情報を、端末４に送信する。ＥＣ情報送信手段３２０は、所定のプログラムを実行する処理部３１が通信部３０を制御することにより実施可能である。
【００３８】
続いて、図５から図８を参照して本実施形態の記事サーバ１、広告サーバ２、ＥＣサーバ３が実行する処理の流れを説明する。図５は、端末に記事を送信するときの記事サーバと広告サーバの処理を示すフローチャートである。
【００３９】
図５を参照すると、記事サーバ１は、記事への要求を端末４から受け付ける（ステップＳ１１）。記事要求の受付は、記事要求受付手段１００が行う。続いて記事サーバ１は、ステップＳ１１にて端末４から要求を受け付けた記事に、記事付帯情報を付加する。（ステップＳ１２）。記事付帯情報の付加は、記事付帯情報付加手段１１０が行う。
【００４０】
記事サーバ１は、ステップＳ１２で記事付帯情報が付加された記事を、端末４に送信する（ステップＳ１３）。記事の送信は、記事送信手段１２０が行う。
【００４１】
広告サーバ２は、ステップＳ１３で送信された記事に付加された記事付帯情報に基づく端末４からの要求に応じて、記事に関連づけられたＥＣ情報へのリンクを含む広告を配信する (ステップＳ２１)。広告の配信は、広告配信手段２００が行う。
【００４２】
ここで、記事サーバ１から送信された記事に基づき端末４の表示部４３に表示される画面を図面で説明する。図６は、記事サーバから送信された記事に基づき端末の表示部に表示される画面の例である。図６（ａ）を参照すると、画面には、文章４００と画像４０１が表示されている。ここで、文章４００と画像４０１とは必ずしも両方が表示されていなくてもよい。
【００４３】
図６（ａ）において、広告欄４０２が画面下方に設けられ、広告欄４０２のそれぞれの領域に広告が表示されている。この例では、広告欄４０２の左側領域には、広告としてＥＣサーバＡにおける商品１に関する文字列ないし画像が表示されている。広告欄４０２の左側領域に表示された広告を指定してユーザがクリックやタップなどの所定の操作を行うと、端末４は広告に含まれるリンクに従って、ＥＣサーバＡにおける商品１のＥＣ情報にアクセスする。端末４がＥＣサーバＡにおける商品１のＥＣ情報にアクセスするときの表示部に表示される画面については、後述する。広告欄４０２の中央領域、右側領域についても、左側領域と同様である。
【００４４】
図６（ｂ）は、端末がＥＣサーバＡにおける記事リンク（後述する図８の記事リンク領域４１２に表示される記事リンクに対応）に基づいて記事サーバにアクセスするときに表示部に表示される画面の例である（すなわち、図６（ａ）は、端末がＥＣサーバにおける記事リンクに基づいて記事サーバにアクセスする場合以外の画面例と言うこともできる）。
【００４５】
図６（ｂ）において、文章４００と画像４０１は図６（ａ）と同様であるが、広告欄４０２に表示される広告がＥＣサーバＡのもののみとなっている。これは、広告サーバ２の広告配信手段２００が、ＥＣサーバＡに提供された記事リンクに基づく端末４の要求に応じて記事サーバ１が送信する記事、に関連づけられた広告を配信するときに、ＥＣサーバＡの広告を優先的に配信するように制御することによる。このように制御することにより、ＥＣサーバＡのＥＣ情報に表示された記事リンクに基づいて記事にアクセスしたユーザが、記事に表示される広告によってＥＣサーバＡ以外のＥＣサーバに流出してしまう事態を防止することができる。このとき、ＥＣサーバＡの広告のみを配信するようにしてもよい。図６（ｂ）では、ＥＣサーバＡの広告のみを配信した結果、ＥＣサーバＡの広告のみが表示された画面を例示しているが、本発明の実施はこれに限らない。例えば、通常の広告配信においてＥＣサーバＡの広告が配信される確率よりも高い確率でＥＣサーバＡの広告を選択し、他のＥＣサーバの広告が配信される確率を低くするなどの方法により、ＥＣサーバＡの広告を優先的に配信することができる。また、ＥＣサーバＡと他のＥＣサーバの広告がそれぞれ配信されたときに、広告欄４０２のうちＥＣサーバＡの広告を広告効果の大きい領域に表示し、ＥＣサーバＡ以外のＥＣサーバの広告を広告効果の小さい領域に表示するようにしてもよい。
【００４６】
また、図６（ｂ）の画面が表示される場合であっても、広告欄４０２へのクリックがあればＥＣサーバＡのＥＣ情報が表示されることとなるが、広告効果の観点からは通常の画面表示の図６（ａ）の画面での広告欄４０２へのクリックとは異なるため、広告効果の計数を通常と区別して行うのが適切である。
【００４７】
図７は、端末にＥＣ情報を送信するときのＥＣサーバと広告サーバの処理を示すフローチャートである。図７を参照すると、広告サーバ２は、記事に関連づけられたＥＣ情報への端末からのアクセスをカウントする（ステップＳ３１）。アクセスのカウントは、計数手段２１０が行う。
【００４８】
ＥＣサーバ３は、ステップＳ３１にて広告サーバ２によりアクセスをカウントされた端末４からのＥＣ情報の要求を受け付ける（ステップＳ４１）。ＥＣ情報の要求受付は、ＥＣ情報要求受付手段３００が行う。
【００４９】
ＥＣサーバ３は、次に、ステップＳ４１にて端末４から要求を受け付けたＥＣ情報に、ＥＣ付帯情報を付加する（ステップＳ４２）。ＥＣ付帯情報の付加は、ＥＣ付帯情報付加手段３１０が行う。
【００５０】
ＥＣサーバ３は、続いて、ステップＳ４２にてＥＣ付帯情報が付加されたＥＣ情報を、端末４に送信する（ステップＳ４２）。ＥＣ情報の送信は、ＥＣ情報送信手段３２０が行う。
【００５１】
広告サーバ２は、ＥＣ情報ごとに、ステップＳ３１でカウントされたアクセスの数である送客数に基づいて、記事を選択する（ステップＳ３２）。記事の選択は、記事選択手段２２０が行う。
【００５２】
広告サーバ２は、続いて、ステップＳ３２で選択された記事へのリンクである記事リンクを、ＥＣ情報にアクセスする端末４に提供する（ステップＳ３３）。記事リンクの提供は、記事リンク提供手段２３０が行う。
【００５３】
図８は、端末がＥＣサーバにおける商品のＥＣ情報にアクセスするときの表示部に表示される画面の例である。この例では、画面には文章４１０と画像４１１とが表示されているが、両方の表示が必須でない点は記事の表示画面と同様である。ＥＣ情報の画面表示は、商取引の電子的な申し出であるため、さらに、価格表示（「ｘｘ，０００円」）と申し込みのための操作インタフェース（「購入」ボタン）とが表示される。図８の例では、価格表示と申し込みのための操作インタフェースは文章４１０内に埋め込まれているが、文章によって構成されたものに限定されず、画像であってもよい。
【００５４】
さらに、端末４がＥＣサーバ３における商品のＥＣ情報にアクセスするときの表示部に表示される画面には、記事リンク領域４１２が設けられ、ここに記事サーバ１の記事に対するリンクを含む記事リンクが表示される。広告と同様に、記事リンクは文章であっても画像であってもよい。
【００５５】
ＥＣ情報には一般に、商取引の対象となる商品やサービス（以下、「商品等」という）の購入ユーザの評判などが記載されていることが多い。これは商品等の良さをアピールするクチコミ情報として機能しており、商品等を購入する後押しとなっている。
【００５６】
記事リンクは、このクチコミ情報のマスコミ版と言えるもので、同様に商品等の購入を後押しすることになる。特に数ある記事の中で、当該ＥＣ情報への誘引や当該商品等の購入に最も寄与している記事であれば、大きな効果があると考えることができ、ＥＣサイトにとっても記事リンクを設置するメリットがあると考えられる。
すなわち、記事リンクを設置することで増えた購入数は、当該記事を公開する記事サーバと、当該記事を選択した広告サーバに寄与すると言える。
【００５７】
記事リンク領域４１２に表示された記事リンクを指定してユーザがクリックやタップなどの所定の操作を行うと、端末４は記事リンクに従って、記事サーバ１における所定の記事にアクセスする。そのとき、端末４には図６（ｂ）に例示される画面が表示され、その広告欄４０２には、記事リンクを表示していたＥＣ情報を提供するＥＣサーバ３の広告のみが表示される。
【００５８】
前述したように、記事の表示回数が増えることはメディアとしての記事サーバの価値を高めることになる。すなわち、記事リンクを設置することで増えたメディア価値は、当該リンクの場所を提供したＥＣサーバを運営する広告主と、当該記事リンクを設置した広告サーバを運営する広告業者とに寄与すると言える。
【００５９】
以上本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【００６０】
１    記事サーバ
２    広告サーバ
３    ＥＣサーバ
４    端末
５    ネットワーク
１００    記事要求受付手段
１１０    記事付帯情報付加手段
１２０    記事送信手段
２００    広告配信手段
２１０    計数手段
２２０    記事選択手段
２３０    記事リンク提供手段
３００    ＥＣ情報要求受付手段
３１０    ＥＣ付帯情報付加手段
３２０    ＥＣ情報送信手段
４００、４１０    文章
４０１、４１１    画像
４０３    広告欄
４１２    記事リンク領域
【図１】
2018081535.tif 000003
【図２】
2018081535.tif 000004
【図３】
2018081535.tif 000005
【図４】
2018081535.tif 000006
【図５】
2018081535.tif 000007
【図６】
2018081535.tif 000008
【図７】
2018081535.tif 000009
【図８】
2018081535.tif 000010